(57)【要約】【課題】現在の動作モードを表示する表示部の点灯状態を、検知エリア内への侵入者の威嚇に利用する。【解決手段】センサライト１の、設置場所に取付固定される取付部３の前部に、複数の表示灯５ａが列状に配列される表示部５を設ける。表示部５は、表示灯５ａが上下２列に配列されている。警戒モードにあるときは、表示部５の表示灯５ａの点灯位置が、各列において、表示灯５ａの点灯位置が列方向において往復移動するのを繰り返し、侵入者を威嚇するようになっている。【選択図】  図１
2009266627.tif 000002
【特許請求の範囲】
【請求項１】
光源を有し前記光源の光を一定の範囲に向けて照射して前記一定の範囲を照明する照明部と、この照明部が上部に首振り可能に支持され設置場所に取り付けられる取付部と、この取付部の前部あるいは下部に設けられ予め定められた検知エリア内への侵入者の侵入を検知する検知センサ部とを備え、前記検知センサ部による侵入者の侵入の検知により前記光源を点灯する警戒モードを含む複数の動作モードを有するセンサライトであって、
複数の表示灯が１列または複数列に配列され現在の動作モードを表示する表示部と、
前記動作モードを選択する動作モード選択手段と、
前記動作モード選択手段よりの信号を受け、前記動作モードに応じて、前記表示部の表示灯の点灯位置を変化させる点灯制御手段とを備え、
前記警戒モードにあるとき、前記表示部において、前記表示灯の点灯位置が変化するようになっていることを特徴とするセンサライト。
【請求項２】
前記警戒モードにあるとき、前記表示部において複数の表示灯が一列の場合には前記表示灯の点灯位置が変化するのを繰り返し、前記表示部において複数の表示灯が複数列の場合には各列において前記表示灯の点灯位置が変化するのを繰り返すことを特徴とする請求項１記載のセンサライト。
【請求項３】
前記動作モードは、前記警戒モードに加えて、前記検知センサ部の検知結果にかかわらず前記光源を連続点灯する照明モードと、電源投入後の起動状態にあるウォーミングアップモードとを含み、
前記照明モードでは、前記表示部の表示灯を全て消灯させ、前記ウォーミングアップモードでは前記表示部の表示灯を点滅させることを特徴とする請求項１記載のセンサライト。
【請求項４】
前記表示部は、複数の表示灯が複数列に配列されたものであり、
報知音を鳴動させる報知手段を備え、
前記警戒モードは、報知音を鳴動させる第１の警戒モードと、報知音を鳴動させない第２の警戒モードとを有し、
前記第１または第２の警戒モードの一方は、前記表示部において、前記表示灯の点灯位置が周回方向において移動するのを繰り返し、他方は、各列において前記表示灯の点灯位置が列方向において往復移動するのを繰り返すことを特徴とする請求項１記載のセンサライト。
【請求項５】
音色の異なる複数の報知音を鳴動させる報知手段を備え、
前記第１の警戒モードは、前記複数の報知音のうち１つの報知音を鳴動させる第１の鳴動モードと、前記複数の報知音のうち前記１つの報知音以外の１つの報知音を鳴動させる第２の鳴動モードとを有し、
前記第１および第２の鳴動モードは、前記表示部において、点灯する表示灯の色が異なることを特徴とする請求項４記載のセンサライト。
【発明の詳細な説明】
【技術分野】
【０００１】
本発明は、侵入者の検知により光源を点灯又は点滅（フラッシング）する、主として防犯、セキュリティを目的として使用されるセンサライトに関するものである。
【背景技術】
【０００２】
一般に、センサライトは、光源を有し前記光源の光を一定の範囲に向けて照射して前記一定の範囲を照明する照明部と、検知エリア内への侵入者の侵入を検知する検知センサ部とを備え、前記検知センサ部による侵入者の検知により前記光源を点灯又は点滅する、主として防犯、セキュリティを目的として使用されるものである（例えば、特許文献１参照）。
【０００３】
そのようなセンサライトにおいては、前記検知センサ部による侵入者の侵入の検知により前記光源を点灯する警戒モードのほか、複数の動作モードを有するものがあり、単に動作モードを選択して設定するだけでは、ユーザーは後日現在の動作モードが何であるかが分からなくなるおそれがある。そこで、センサライトに、複数の表示灯を有する表示部を設け、その表示部における表示灯の点灯あるいは点滅状態をユーザーが見ることによって、現在の動作モードを視覚的に認知したいという要求がある。
【特許文献１】特開平１０−１４４１３４号公報（段落０００９〜００１１および図１）
【発明の開示】
【発明が解決しようとする課題】
【０００４】
そこで、発明者は、そのような表示部における表示灯の点灯あるいは点滅の仕方を工夫すれば、動作モードを表現できるだけでなく、検知エリアへの侵入者を威嚇により抑制でき、防犯・見張り効果をさらに高めることができることに着想し、本発明をなすに至ったものである。
【０００５】
また、センサライトにおいて、本体部に１つの表示灯(例えば、高輝度ＬＥＤ）を設け
、それらの点灯あるいは点滅を繰り返すことで、その付近に何かが設置されていることをアピールするようにしたものはすでに知られているが、そのような点灯あるいは点滅を繰り返すだけでは、威嚇効果としては不十分である。
【０００６】
本発明は、現在の動作モードを表示する表示部の点灯状態を、検知エリア内への侵入者の威嚇にも利用できるセンサライトを提供することを目的とする。
【課題を解決するための手段】
【０００７】
請求項１の発明は、光源を有し前記光源の光を一定の範囲に向けて照射して前記一定の範囲を照明する照明部と、この照明部が上部に首振り可能に支持され設置場所に取り付けられる取付部と、この取付部の前部あるいは下部に設けられ予め定められた検知エリア内への侵入者の侵入を検知する検知センサ部とを備え、前記検知センサ部による侵入者の侵入の検知により前記光源を点灯する警戒モードを含む複数の動作モードを有するセンサライトであって、複数の表示灯が１列または複数列に配列され現在の動作モードを表示する表示部と、前記動作モードを選択する動作モード選択手段と、前記動作モード選択手段よりの信号を受け、前記動作モードに応じて、前記表示部の表示灯の点灯位置を変化させる点灯制御手段とを備え、前記警戒モードにあるとき、前記表示部において、前記表示灯の点灯位置が変化するようになっていることを特徴とする。ここで、表示部での、表示灯の点灯位置の変化は、規則的であっても、不規則的であってもよい。また、表示部において
，表示灯が配列される方向は、左右方向でも上下方向でもよいのはもちろん、円周方向でもよい。
【０００８】
このようにすれば、警戒モードにあるとき、前記表示部において、表示灯の点灯位置が変化するので、その変化によって、前記検知エリア内への侵入者を威嚇する効果を発揮する。よって、警戒モードにおいて，表示部は、ユーザーが前記表示部を見ることで現在の動作モードが警戒モードであることをユーザーに認知させる機能と、検知エリア内への侵入者を威嚇して、侵入を抑制する機能とを発揮する。
【０００９】
請求項２に記載のように、前記警戒モードにあるとき、前記表示部において複数の表示灯が一列の場合には前記表示灯の点灯位置が変化するのを繰り返し、前記表示部において複数の表示灯が複数列の場合には各列において前記表示灯の点灯位置が変化するのを繰り返すようにすることができる。ここで、「表示灯の点灯位置が変化するのを繰り返す」とは、表示灯の列方向において、(i)一方の側から他方の側に向けて表示灯の点灯位置が順
に移動し、その表示灯の点灯位置が他方の側に達すると、逆に、他方の側から一方の側に向けて表示灯の点灯位置が順に移動し、一方の側に達すると、再び他方の側に順に移動することを繰り返す場合（往復移動する場合）と、(ii)一方の側から他方の側に向けて表示灯の点灯位置が順に移動し、その表示灯の点灯位置が他方の側に達すると、再び一方の側から他方の側に順に移動することを繰り返す場合（一方向のみに移動する場合）とを含むほか、不規則に変化する場合も含まれる。
【００１０】
このようにすれば、警戒モードにあるとき、複数の表示灯が一列の場合には前記表示灯の点灯位置が変化するのを繰り返し、複数の表示灯が複数列の場合には各列において前記表示灯の点灯位置が変化するのを繰り返すという簡単な点灯制御によって、検知エリア内に侵入しようとする者を効果的に威嚇することができる。
【００１１】
請求項３に記載のように、前記動作モードは、前記警戒モードに加えて、前記検知センサ部の検知結果にかかわらず前記光源を連続点灯する照明モードと、電源投入後の起動状態にあるウォーミングアップモードとを含み、前記照明モードでは、前記表示部の表示灯を全て消灯させ、前記ウォーミングアップモードでは前記表示部の表示灯を点滅させるようにすることができる。ここで、ウォーミングアップモードでの、表示部の表示灯の点滅は、表示部の表示灯全てを点滅させてもよいし、一部だけを点滅させてもよい。
【００１２】
このようにすれば、ユーザーは表示部を見ることによって、現在の動作モードが、警戒モードであるか、照明モードであるか、ウォームアップモードであるかを直ちに認知することができる。
【００１３】
請求項４に記載のように、前記表示部は、複数の表示灯が複数列に配列されたものであり、報知音を鳴動させる報知手段を備え、前記警戒モードは、報知音を鳴動させる第１の警戒モードと、報知音を鳴動させない第２の警戒モードとを有し、前記第１または第２の警戒モードの一方は、前記表示部において、前記表示灯の点灯位置が周回方向において移動するのを繰り返し、他方は、各列において前記表示灯の点灯位置が列方向において往復移動するのを繰り返すようにすることができる。
【００１４】
このようにすれば、ユーザーは表示部を見ることによって、現在の動作モードが、報知音を鳴動させる第１の警戒モードであるか、報知音を鳴動させない第２の警戒モードであるかを簡単に判別することができる。
【００１５】
請求項５に記載のように、音色の異なる複数の報知音を鳴動させる報知手段を備え、
前記第１の警戒モードは、前記複数の報知音のうち１つの報知音を鳴動させる第１の鳴
動モードと、前記複数の報知音のうち前記１つの報知音以外の１つの報知音を鳴動させる第２の鳴動モードとを有し、前記第１および第２の鳴動モードは、前記表示部において、点灯する表示灯の色が異なるようにすることができる。
【００１６】
このようにすれば、第１および第２の鳴動モードは、前記表示部において、表示灯の点灯位置の色が異なることで、ユーザーによって認知される。
【発明の効果】
【００１７】
本発明は、上記のように、検知センサ部による侵入者の侵入の検知により光源を点灯する警戒モードにあるとき、点灯制御手段により、侵入者を威嚇する態様で表示部の表示灯を点灯させるので、現在の動作モードを表示する表示部を利用して、侵入者を威嚇することができる。
【発明を実施するための最良の形態】
【００１８】
以下、本発明の実施の形態を図面に沿って説明する。
(実施例１）
図１（ａ）は本発明に係るセンサライトの一実施の形態を示す斜視図、図１（ｂ）は同センサライトの表示部における表示灯の配置例を示す説明図である。
【００１９】
図１に示すように、センサライト１は、基本構造は従来のものと同様で、照明部２と、取付部３と、検知センサ部４とを備え、主として防犯、セキュリティを目的として使用されるものである。
【００２０】
照明部２は、光源２ａを有し、光源２ａの光を一定の範囲に向けて照射して前記一定の範囲を照明するもので、取付部３の上部に左右方向及び上下方向に首振り可能に取り付けられている。
【００２１】
取付部３は、設置場所に取付固定されるもので、その前部には、複数の表示灯(例えば
、高輝度ＬＥＤ）が列状に配列される表示部５が設けられている。表示部５としては、図１（ｂ）に示すように、表示灯５ａが上下２列に配列されている。
【００２２】
この表示部５において、複数の表示灯５ａの点灯状態によって、センサライト１が持つ複数の動作モードのうち現在の動作モードがいずれの動作モードに該当するかを表示するようになっている。よって、ユーザーは、表示部５における表示灯の点灯状態を見ることで、現在、どの動作モードであるかを直ちに認知することができる。
【００２３】
また、取付部３には、前記動作モードを選択する動作モード選択スイッチ（動作モード選択手段）がカバー３Ａに覆われて設けられ、この動作モード選択スイッチよりの信号を受け、このスイッチにより選択された前記動作モードに応じて、後述するように、表示部５の表示灯の点灯状態を変化させる点灯制御手段（例えば、マイコン、制御回路）が内部に設けられている。
【００２４】
検知センサ部４は、取付部３の下端部に左右方向及び上下方向に回転可能に取り付けられ、予め定められた検知エリア内への侵入者の侵入を検知するものである。
【００２５】
センサライト１は、動作モードとしては、(i)検知センサ部４による侵入者の検知によ
って照明部２の光源２ａを点灯する警戒モードと、(ii)検知センサ部４の検知結果にかかわらず光源２ａを連続点灯する照明モードと、(iii)電源投入後の起動状態にあるウォー
ミングアップモードとを有する。そのために、表示灯は、後述するように、動作モードにあわせて、表示灯の点灯パターンが変化するようになっている。
【００２６】
前記警戒モードにあるときは、表示部５における各表示灯５ａは、図２（ａ）に示すように、各列において表示灯５ａの点灯位置が列方向において往復移動するのを繰り返すようになっている。よって、警戒モードにおいては、警戒モードであることをユーザーに認知させるだけでなく、表示灯５ａの点灯位置が往復移動することで、前記侵入者を威嚇する効果を発揮できるようになっている。つまり、警戒モードにあるときは、表示部５は、現在の警戒モードを表示する機能と、侵入者を威嚇する機能とを併せ持つことになる。
【００２７】
また、前記照明モードでは、表示部５の表示灯５ａを全て消灯させる。前記ウォーミングアップモードでは、図２（ｂ）に示すように、表示部５の表示灯５ａを点滅させる。なお、全部の表示灯５ａを点滅させる必要はなく、一部の表示灯５ａだけを点滅させることも可能である。また、図２（ｃ）に示すように、表示灯５ａの点灯位置が列ごとに変化する、つまり、上側の列の表示灯と下側の列の表示灯とが交互に点灯するようにしてもよい。
【００２８】
上記のように構成すれば、警戒モードにおいては、検知エリア内に侵入者が存在しない場合には、検知センサ部４は検知対象である侵入者を検知しないので、光源２ａは点灯しない。このとき、表示部５において、表示灯５ａの点灯位置（点灯する表示灯５ａは単数でも複数でもよい）を、前述したように列方向において往復移動させるのを繰り返すように点灯させるので、表示部５での表示灯５ａの点灯状態は、警戒モードであることをユーザーに認知させるだけでなく、侵入者に対する威嚇となり、侵入を思いとどまらせる効果を発揮する。
【００２９】
つまり、表示部５において、表示灯５ａの点灯位置を移動させ，表示部５での表示灯５ａの点灯状態を変化させることで、侵入者などに対し予めセンサライト１の設置を認知させ、センサ動作中であることをアピールすることができるので、センサライト１が常に見張りを行っていることを第三者に認識させることができ、防犯・セキュリティ効果を高める上で有利となる。単に１つの表示灯を点灯あるいは点滅させるだけでは，そのような効果は少なく、単に何かの機器の電源パイロットランプであると思われるおそれがあるからである。
【００３０】
前記実施例では、表示部の、複数の表示灯は２列に配列されているが、図３（ａ）に示すように、表示灯５ａを１列に配列することもできるし（表示部５Ａ）、図３（ｂ）に示すように、表示灯５ａの数を少なくすることも可能である（表示部５Ｂ）。また、そのような表示部は取付部３の前部に設ける必要はなく、第三者に認識させることができる部位であれば，他の部分に設けることも可能である。例えば取付部３の下端部に設けられる検知センサ部４の周囲の環状部分４ａを利用して、図４に示すように、表示灯５ａを円周方向に環状に配列することも可能であり（表示部５Ｃ）、この場合も、２列に配列することができるし、全周に設ける必要はなく、前側の一部分のみに設けるようにすることも可能である。
【００３１】
また、実施例１は、連続点灯することができるセンサライトに適用したものであるが、さらに報知音を鳴動できるセンサライトの場合には、次の実施例２に説明するように構成することができる。
(実施例２）
この例の場合には、報知音を鳴動させる報知手段を備え、照明部２の光源２ａを点灯する警戒モードとしては、報知音を鳴動させる第１の警戒モードと、報知音を鳴動させない第２の警戒モードとを有し、警戒モードを二種類有することになる。
【００３２】
第１の警戒モードは、表示部５において、図２（ｄ）に示すように、表示灯５ａの点灯
位置が周回方向において変化するのを繰り返し、第２の警戒モードは、実施例１の警戒モードの場合（図２（ａ）参照）と同様に、上下各列において、表示灯５ａの点灯位置が列方向において変化（往復移動）するのを繰り返すようになっている。
【００３３】
このように、表示灯５ａの点灯位置を移動させる態様を、報知音を鳴動させる第１の警戒モードと、報知音を鳴動させない第２の警戒モードとで変えることで、侵入者を威嚇する効果を損なうことなく、ユーザーが表示部５を見ることによって第１の警戒モードであるか第２の警戒モードであるかが無理なく判別される。つまり、第１および第２の警戒モードにおいては、検知エリア内に侵入者が存在しない場合には、検知センサ部は検知対象である侵入者を検知しないので、光源２ａは点灯しないが、このとき、表示部５の、複数の表示灯５ａを、前述したように点灯させることで、侵入者などに対し予めセンサライト１の設置を認知させ、第１の警戒モードであっても第２の警戒モードであっても、侵入者に対する威嚇となり、侵入を思いとどまらせる効果が得られる。
【００３４】
なお、前記第１および第２の警戒モードに加えて、照明モードと、ウォーミングアップモードとを有する点については，実施例１と同様である。
【００３５】
また、音色の異なる報知音を鳴動できるセンサライトの場合は、次の実施例３に説明するように構成することができる。
（実施例３）
この例の場合には、センサライトは、音色の異なる複数の報知音を鳴動させる報知手段を備え、照明部２の光源２ａを点灯する第１の警戒モードは、前記複数の報知音のうち１つの報知音（例えば、チャイム音）を鳴動させる第１の鳴動モードと、前記複数の報知音のうち前記１つの報知音以外の１つの報知音（例えば、アラーム音）を鳴動させる第２の鳴動モードとを有し、警戒モードとしては、二種類の第１の警戒モードと、一種類の第２の警戒モードとがあり、三種類を有することになる。ここで、複数の報知音は、予め取付部３に内蔵されるメモリに記憶されているものであり、前記アラーム音、チャイム音のほか、侵入者を威嚇する音色（例えば番犬の吠える音、サイレン音など）が含まれ、ユーザーが選択して使用できるようになっているものである。
【００３６】
第１の警戒モードとなる第１および第２の鳴動モードは、表示部５において、図２（ｃ）に示すように、表示灯５ａの点灯位置が周回方向において変化するのを繰り返す点で実施例２と同様であるが、第１および第２の鳴動モードとでは、表示灯の点灯位置の色が異なるようになっており、その色の相違により、第１および第２の鳴動モードが明確に判別される。つまり、例えば、緑色の表示灯と赤色の表示灯が交互に配置され、第１の警戒モードでは緑色の表示灯についての点灯位置が順に変化し（赤色の表示灯は消灯）、第２の警戒モードでは赤色の表示灯についての点灯位置が順に変化する（緑色の表示灯は消灯）。
【００３７】
また、第１の警戒モード（第１および第２の鳴動モード）のほか、第２の警戒モードと、照明モードと、ウォーミングアップモードとを有する点については，実施例２と同様である。
【００３８】
前述した実施の形態のほか、本発明は、次のように変更して実施することができる。
【００３９】
(i)表示部の表示灯の点灯位置の変化（移動）は、上述したものに制限されることなく
、図５に示すように、表示灯の点灯位置が、斜め方向において上下に移動するようにしたり、無規則的に複数の表示灯が点灯するようにすることも可能である。
【００４０】
(ii)センサライトを設けた周囲の明るさを検出するようにして、その明るさに応じて、
表示灯の点灯位置だけでなく、点灯する表示灯の輝度を変化させるようにすることも可能である。例えば点灯した２個の表示灯の位置が変化するようにし、周囲が明るい時には、図６（ａ）に示すように、その点灯した２個の表示灯の輝度を低く、周囲が暗い時には，図６（ｂ）に示すように、点灯した２個の表示灯の輝度を高くすることができる。また、センサライトを設けた周囲の明るさに応じて、点灯した表示灯の位置の移動速度を変えることも可能である。
【図面の簡単な説明】
【００４１】
【図１】図１（ａ）は本発明に係るセンサライトの一実施の形態を示す斜視図、図１（ｂ）は同センサライトの表示部における表示灯の配置例を示す説明図である。
【図２】（ａ）〜（ｄ）はそれぞれ表示部の表示灯の点灯位置の変化についての説明図である。
【図３】（ａ）（ｂ）はそれぞれ表示部の変形例の説明図である。
【図４】検知センサ部の周囲の部分を利用した表示部の変形例の説明図である。
【図５】表示部の表示灯の点灯位置の変化についての、他の例の説明図である。
【図６】（ａ）（ｂ）はそれぞれ表示部の表示灯の点灯位置についての、さらに別の例の説明図である。
【符号の説明】
【００４２】
１    センサライト
２    照明部
２ａ    光源
３    取付部
４    検知センサ部
５    表示部
５ａ    表示灯
【図１】
2009266627.tif 000003
【図２】
2009266627.tif 000004
【図３】
2009266627.tif 000005
【図４】
2009266627.tif 000006
【図５】
2009266627.tif 000007
【図６】
2009266627.tif 000008